(57)【要約】【課題】携帯性に優れ、プライバシー保護に優れた携帯型ステレオ画像ビューワーを提供することを目的とする。【解決手段】携帯型ステレオ画像ビューワー１０は、外蓋１２および内蓋１６を開放することによってレンズ２２Ａ、２２Ｂから両眼視することによって液晶モニタ３４Ａ、３４Ｂに表示されたステレオ画像を視認することができる。この際、液晶モニタ３４Ａ、３４Ｂおよびミラー２０Ａ、２０Ｂ等が外蓋１２および内蓋１６の内側に配設されているため、ステレオ画像が外部から視認されることはなく、プライバシーが保護される。また、携帯時には表裏両面に設けられた液晶モニタ３４Ａ、３４Ｂを備える支持体３２を中心に、内側に折り込まれたレンズ２２Ａ、２２Ｂ等によってコンパクトになり、係合部４８の孔部４６にチェーン４４を挿通することによってペンダントのように携帯することができる。【選択図】　図３
2004088683.tif 000002
【特許請求の範囲】
【請求項１】
ステレオ画像を表示する表示部と、
前記表示部に表示された画像を両眼視可能な位置に導く光学部品と、
前記光学部品が配設され、閉塞することにより光学部品を内部に収納すると共に、開放することにより前記光学部品を所定位置に配置し、前記表示部に表示されたステレオ画像を両眼視可能な光学系を構成させる外装と、
を備えることを特徴とする携帯型ステレオ画像ビューワー。
【請求項２】
前記表示部は表裏両面にれぞれステレオ画像の一方を表示することを特徴とする請求項１記載の携帯型ステレオ画像ビューワー。
【請求項３】
前記外装には、外部から画像を入力するための画像入力手段を備えることを特徴とする請求項１または２記載の携帯型ステレオ画像ビューワー。
【請求項４】
前記外装には、紐状体を挿通可能な係合部を有することを特徴とする請求項１〜３のいずれか１項記載の携帯型ステレオ画像ビューワー。
【発明の詳細な説明】
【０００１】
【発明の属する技術分野】
本発明は、ステレオ画像を両眼視できる携帯型ステレオ画像ビューワーに関する。
【０００２】
【従来の技術】
従来から、ステレオ画像を両眼視することによって立体的に画像が見えるようにしたものが提案されている。すなわち、同一画像を異なるアングルで撮った画像を両眼視させることによって、脳の中で奥行きのある画像として認識させる効果を狙ったものである。
【０００３】
このような画像を見るステレオ画像ビューワーとして携帯性を有するものが、特表平１０−５００４９３号公報（以下、従来例という）に開示されている。このステレオ画像ビューワーは開閉自在となっており、開放時にステレオ画像が形成されたステレオブックを立ててステレオコープビューワーから両眼視することによって立体画像を認識できると共に、内部にステレオコープビューワーとステレオブックを収納して閉じることによってステレオ画像ビューワーをコンパクトにして持ち運び可能とされている。
【０００４】
【発明が解決しようとする課題】
しかし、従来例は内部に収納するステレオコープビューワーやステレオブックを折り畳むことはできず、携帯時に比較的大型化することになる（眼鏡ケース程度の大きさになる）。したがって、携帯性において劣る。
【０００５】
また、ステレオコープビューワーからステレオブックのステレオ画像を見ている場合に、外部からステレオブックに表示されているステレオ画像を見ることが可能であり、プライバシーが保護されないという不都合がある。
【０００６】
そこで、このような課題を解決するために、本発明は、携帯性に優れると共にプライバシーが保護されたステレオ画像ビューワーを提供することを課題とする。
【０００７】
【課題を解決するための手段】
請求項１記載の発明は、ステレオ画像を表示する表示部と、前記表示部に表示された画像を両眼視可能な位置に導く光学部品と、前記光学部品が配設され、閉塞することにより光学部品を内部に収納すると共に、開放することにより前記光学部品を所定位置に配置し、前記表示部に表示されたステレオ画像を両眼視可能な光学系を構成させる外装と、を備えることを特徴とする。
【０００８】
請求項１記載の発明の作用について説明する。
【０００９】
外装を開くことにより、外装に配設された光学部品が構成した光学系を介して表示部に表示されたステレオ画像を両眼視することができ、立体画像を認識することができる。この際、ステレオ画像は外装内部に配設された表示部に表示されると共に、外装内側に配設された光学系（光学部品）を介して両眼視しているため、外部からステレオ画像が視認されることを防止でき、プライバシーが保護される。
【００１０】
一方、外装を閉塞することにより光学系を構成する光学部品を内部に収納し、コンパクトに収納することができる。
【００１１】
なお、ここでステレオ画像ビューワーとは、表示部に表示されたステレオ画像を両眼視する装置をさし、表示部に表示される画像はデジタル画像に限定されず、ステレオ写真などであっても良い。
【００１２】
請求項２記載の発明は、請求項１記載の発明において、前記表示部は表裏両面にれぞれステレオ画像の一方を表示することを特徴とする。
【００１３】
請求項２記載の発明の作用について説明する。
【００１４】
ステレオ画像を背面同士（表裏両面）で表示する表示部としたことによって、ステレオ画像を並べてに表示するものと比較してステレオ画像ビューワーを一層コンパクトにすることができる。
【００１５】
請求項３記載の発明は、請求項１または２記載の発明において、前記外装には、外部から画像を入力するための画像入力手段を備えることを特徴とする。
【００１６】
請求項３記載の発明の作用について説明する。
【００１７】
外装に画像入力手段、例えば、メディアスロットや入力ポート等を設けることによって外部から所望の画像情報を入力し、その画像を表示部に表示することが可能となる。
【００１８】
請求項４記載の発明は、請求項１〜３のいずれか１項記載の発明において、前記外装には、紐状体を挿通可能な係合部を有することを特徴とする。
【００１９】
請求項４記載の発明の作用について説明する。
【００２０】
外装が閉塞されてコンパクトになったステレオ画像ビューワーに対して外装の係合部にチェーン等の紐状体を挿通することによって首からかけることができる。したがって、ペンダントのように使用することができ、携帯性に優れる。
【００２１】
【発明の実施の形態】
以下、本発明の一実施形態に係る携帯型ステレオ画像ビューワーについて詳細に説明する。
【００２２】
携帯型ステレオ画像ビューワー１０は、図１に示すように、一対の外蓋１２、１４と、内蓋１６と、ステレオ画像を表示する表示部１８と、表示部１８に表示された画像を反射する一対のミラー２０Ａ、２０Ｂと、ミラー２０Ａ、２０Ｂで反射された画像を両眼視可能とするレンズ２２Ａ、２２Ｂと、画像データ入力用のメディアスロット２４、および表示部１８に表示する画像情報等を記憶する制御部が設けられた制御基盤２６（図２参照）とから基本的に構成される。
【００２３】
外蓋１２と内蓋１６は、共に一端が軸体３０に軸支されており、軸体３０を中心にして回転することにより、外蓋１２と内蓋１６の他端が接近離間して開閉自在とされている。
【００２４】
また、図４に示すように、回転軸３０には、表示部１８を構成する平板状の支持体３２が回転軸３０に直交する方向に延在するように固定されている。平板状の支持体３２の表裏両面には液晶ディスプレイ３４Ａ、３４Ｂが配置されており、それぞれステレオ画像の一方を表示する構成とされている。
【００２５】
さらに、外蓋１２の他端には、軸体３６Ａを介してレンズ２２Ａが回転自在に取り付けられている。したがって、レンズ２２Ａは外蓋１２の閉塞時（図２参照）に外蓋１２の内側に収納され、開放時（図３参照）には外蓋１２から張り出して両眼視可能とされる構成である。
【００２６】
また、外蓋１２の内側にはミラー２０Ａが配設されており、閉塞時（図２参照）には外蓋１２の内側で表示部１８の近傍に配置されると共に、開放時（図３参照）には表示部１８に表示された画像をレンズ２２Ａに導く反射角度に位置決めされるものである。
【００２７】
なお、外蓋１２においてミラー２０Ａの背面（反射面と反対）側には、メディアスロット２４に挿入されたメディア等を介して読み込まれたステレオ画像情報を記憶すると共に、ステレオ画像ビューワー１０の開放によって液晶モニタ３４Ａ、３４Ｂにステレオ画像を表示させる制御部を含む制御基板２６が配設されている。
【００２８】
内蓋１６も外蓋１２と略同様の構成に構成されるものである。ただし、内蓋１６には、外側（外蓋１４側）に一端が開口されているメディアスロット２４が設けられており、内蓋１６の一端において回転軸３６Ｂを介して回転自在に軸支された外蓋１４を開放することによって外部からメディアスロット２４にメディア５０を挿入可能に構成されている（図２→図４参照）。
【００２９】
さらに、外蓋１２の回転軸３０の外側にはチェーン４４等を挿通可能な孔部４６が形成された係合部４８が設けられている（図２参照）。したがって、係合部４８の孔部４６にチェーン４４を挿通することによって、首にかけてペンダントのように携帯可能としたものである（図５参照）。
【００３０】
このように構成された携帯型ステレオ画像ビューワー１０の作用について説明する。
【００３１】
先ず、画像を読み込む場合について説明する。この場合には、外蓋１４を回転軸３６Ｂを中心にして回転させて開放し、内蓋１６を外部に露出させ（図２→図４参照）、外部に露出した開口部からメディア５０をメディアスロット２４に挿入する。この結果、メディア５０に保存されたステレオ画像情報が読み取られ、制御基板２６に設けられた制御部に記憶される。
【００３２】
続いて、このステレオ画像を見る場合について説明する。この場合には、外蓋１２と内蓋１６を回転軸３０を中心にして反対方向に回転させ、ステレオ画像ビューワー１０の内部を開放する（図５→図６、図２→図３参照）。この結果、外蓋１２と内蓋１６に設けられたミラー２０Ａ、２０Ｂが表示部１８を構成する液晶モニタ３４Ａ、３４Ｂに対して所定の反射角度で配置される（図３参照）。また、レンズ２２Ａ、２２Ｂをそれぞれ回転軸３６Ａ、３６Ｂを中心に回転させることにより、ミラー２０Ａ、２０Ｂで反射されたステレオ画像がレンズ２２Ａ、２２Ｂに入射する構成とされる。なお、この開放によって制御基板２６に記憶されていたステレオ画像が液晶モニタ３４Ａ、３４Ｂに表示される。
【００３３】
したがって、所有者がレンズ２２Ａ、２２Ｂから両眼視することによってステレオ画像（静止画あるいは動画）を視認でき、立体画像が認識されることになる。この際、表示部１８の液晶モニタ３４Ａ、３４Ｂ、ミラー２０Ａ、２０Ｂ等の光学系が外蓋１２、１４（内蓋１６）の内側に配設されており、外部からステレオ画像を視認できないため、どのようなステレオ画像を見ているかは外部から確認されず、プライバシーが確保される。
【００３４】
一方、携帯する場合には、開放する場合と反対にレンズ２２Ａ、２２Ｂを外蓋１２、内蓋１６の内側に回転収納すると共に、外蓋１２と内蓋１６（外蓋１４）の回転軸３０を中心にして回転させ外蓋１２と内蓋１６の端部を当接させて閉塞する（図６→図５、図３→図２参照）。この際、閉塞されたステレオ画像ビューワー１０（外蓋１２と内蓋１６で構成される空間）の略中央部分に表示部１８が配設されるため、閉塞時に外蓋１２、内蓋１６と共に回転移動するミラー２０Ａ、２０Ｂと干渉することはない。特に、表示部１８を構成する液晶モニタ３４Ａ、３４Ｂが支持体３２の表裏に配設されているため、ステレオ画像ビューワー１０をコンパクトにできる。
【００３５】
さらに、上記のようにステレオ画像ビューワー１０を非常にコンパクトにすることができる（図２参照）ため、係合部４８の孔部４６にチェーン４４等を挿通することによって、首からかけてペンダントのように携帯することができ、携帯性に優れる（図５参照）。したがって、好きなところで簡単に所望の画像を見ることができる。
【００３６】
なお、本実施形態では、表示部１８に液晶モニタ３４Ａ、３４Ｂを配設したが、他の画像表示手段でも良いし、ステレオ写真を支持体３２の表裏両面に貼りつける構成でも良い。
【００３７】
また、本実施形態では画像情報を読み込む手段としてメディアスロット２４を内蓋１６に設けたが、外部信号入力ポートを設けて外部からステレオ画像を入力する構成としても良い。
【００３８】
さらに、本実施形態では、支持体３２に液晶モニタ３４Ａ、３４Ｂを配設したが、レンズ２２Ａ、２２Ｂと対向する位置に配設してミラー２０Ａ、２０Ｂを省略する構成とすることもできる。
【００３９】
さらにまた、携帯型ステレオ画像ビューワーを本実施形態のようなペンダント型でなく、ヘッドマウントディスプレイのような形状とすることもできる。
【００４０】
【発明の効果】
本発明に係る携帯型ステレオ画像ビューワーでは、携帯性に優れ、しかもプライバシー保護に優れる。
【図面の簡単な説明】
【図１】本発明の一実施形態に係る携帯型ステレオ画像ビューワーの構成説明のための概略斜視図である。
【図２】本発明の一実施形態に係るステレオ画像ビューワーの携帯時の断面図である。
【図３】本発明の一実施形態に係る携帯型ステレオ画像ビューワーの両眼視時の断面図である。
【図４】本発明の一実施形態に係る携帯型ステレオ画像ビューワーのメディア挿入時の断面図である。
【図５】本発明の一実施形態に係る携帯型ステレオ画像ビューワーの閉塞時の概略斜視図である。
【図６】本発明の一実施形態に係る携帯型ステレオ画像ビューワーの両眼視時の斜視図である。
【符号の説明】
１０…携帯型ステレオ画像ビューワー
１２…外蓋（外装）
１４…外蓋（外装）
１６…内蓋（外装）
１８…表示部
２０Ａ、２０Ｂ…ミラー（光学部品）
２２Ａ、２２Ｂ…レンズ（光学部品）
２４…メディアスロット（画像入力手段）
４８…係合部
【図１】
2004088683.tif 000003
【図２】
2004088683.tif 000004
【図３】
2004088683.tif 000005
【図４】
2004088683.tif 000006
【図５】
2004088683.tif 000007
【図６】
2004088683.tif 000008